(57)【要約】【課題】ＩＢＯＣ放送の受信時とアナログ放送の受信時とでそれぞれ最適な受信を行えるようにする。【解決手段】ＩＢＯＣ放送受信機は、ダイバーシティ受信手段１２，１２ａ，１２ｂと、該受信手段を通して受信された放送波を各フィルタ１３ａ，１３ｂに切替接続して選択出力するチューナ部１３と、選択出力された放送波に含まれる信号を復調する復調手段１６と、制御部１１を備える。この制御部１１は、復調手段１６の復調結果に基づいて、当該放送波にＩＢＯＣ放送波が存在しないと判定したときは、ダイバーシティ切替部１２をイネーブル状態に制御し、かつ、狭帯域用フィルタ１３ｂの出力を選択出力するよう制御し、ＩＢＯＣ放送波が存在すると判定したときは、ダイバーシティ切替部１２をディスエーブル状態に制御し、かつ、広帯域用フィルタ１３ａの出力を選択出力するよう制御する。【選択図】  図３
2004349805.tif 000002
【特許請求の範囲】
【請求項１】
ＩＢＯＣ方式の変調フォーマットで伝送されてくる放送波を受信するよう適応されたＩＢＯＣ放送受信機であって、
複数のアンテナを有するダイバーシティ受信手段と、
広帯域用フィルタ及び狭帯域用フィルタを有し、前記ダイバーシティ受信手段を通して受信された放送波を各フィルタに切替接続して一方のフィルタの出力を選択する放送選択手段と、
選択された放送波に含まれる信号を復調する復調手段と、
前記ダイバーシティ受信手段、放送選択手段及び復調手段に動作可能に接続された制御手段とを具備し、
前記制御手段は、前記復調手段で復調された結果に基づいて、
当該放送波信号にＩＢＯＣ放送波が存在しないと判定したときに、前記ダイバーシティ受信手段をイネーブル状態に制御し、かつ、前記放送選択手段に対し前記狭帯域用フィルタの出力を選択するよう制御し、
当該放送波信号にＩＢＯＣ放送波が存在すると判定したときに、前記ダイバーシティ受信手段をディスエーブル状態に制御し、かつ、前記放送選択手段に対し前記広帯域用フィルタの出力を選択するよう制御することを特徴とするＩＢＯＣ放送受信機。
【請求項２】
前記復調手段は、前記放送選択手段から選択出力された放送波に含まれるアナログ信号を復調する第１の復調手段と、前記放送選択手段から選択出力された放送波にデジタル変調波が含まれている場合に該デジタル変調波を復調する第２の復調手段とを有し、
さらに、前記第１の復調手段により復調された第１の音声信号と前記第２の復調手段により復調された第２の音声信号とを切り替えて出力する音声出力切替手段を具備することを特徴とする請求項１に記載のＩＢＯＣ放送受信機。
【請求項３】
前記制御手段は、前記第２の復調手段の出力を参照して、前記デジタル変調波への同期状態が確立されたと判定したときに、前記音声出力切替手段に対して前記第２の音声信号を出力するよう制御することを特徴とする請求項２に記載のＩＢＯＣ放送受信機。
【請求項４】
前記広帯域用フィルタは、前記ＩＢＯＣ放送波を受信するのに適応された帯域幅を有し、前記狭帯域用フィルタは、前記ＩＢＯＣ放送波以外のアナログ放送波を受信するのに適応された帯域幅を有していることを特徴とする請求項１に記載のＩＢＯＣ放送受信機。
【請求項５】
車両に搭載されていることを特徴とする請求項１から４のいずれか一項に記載のＩＢＯＣ放送受信機。
【発明の詳細な説明】
【０００１】
【発明の属する技術分野】
本発明は、デジタル音声放送（ＤＡＢ）を受信するのに適応されたラジオ放送受信機に関し、より詳細には、既存のＦＭ／ＡＭ放送の放送搬送波の両側波帯を使用して行うＩＢＯＣ（Ｉｎ  Ｂａｎｄ  Ｏｎ  Ｃｈａｎｎｅｌ  ）方式の変調フォーマットで伝送されてくる放送波を受信する機能を備えたＩＢＯＣ放送受信機に関する。
【０００２】
【従来の技術】
近年の放送のデジタル化に伴い、ラジオ放送でもデジタル化が進んでおり、衛星を利用したデジタルラジオ放送では、２００１年９月にＸＭ  Ｓａｔｅｌｌｉｔｅ（エックスエムサテライト）社、２００２年２月にＳｉｒｉｕｓ  Ｓａｔｅｌｌｉｔｅ（シリウスサテライト）社のサービスが開始されている。さらに、これらの衛星によるデジタルラジオ放送に加え、地上波のデジタルラジオ放送として、ｉＢｉｑｕｉｔｙ（アイビクイティ）社（ｉＢｉｑｕｉｔｙ  Ｄｉｇｉｔａｌ  Ｃｏｒｐｏｒａｔｉｏｎ）により「ＨＤ（Ｈｉｇｈ  Ｄｅｆｉｎｉｔｉｏｎ）ラジオ」が提案されている。このＨＤラジオは、有料となっている衛星デジタルラジオ放送に対して、コマーシャルフリーではないが無料のサービスであるため、今後の市場の拡大が予想されている。
【０００３】
このＨＤラジオの大きな特長は、既存のＦＭ／ＡＭ放送のアナログ電波にデジタル信号を追加するＩＢＯＣ方式を採用することにより、従来のアナログ方式のラジオ受信機で同じ内容の放送を受信できると共に、デジタル受信に対応したＨＤラジオ受信機ではデジタル放送も聴取できることである。これによって、デジタルでの受信の場合、ＡＭ放送ではＦＭ放送並みの音質が得られ、ＦＭ放送ではＣＤ並みの音質が得られる。
【０００４】
ＩＢＯＣ方式を採用したデジタル音声放送（ＤＡＢ）システムでは、その放送波を伝送する方式の一つとしてハイブリッド方式がある。図１はその放送波伝送形態を示したもので、ＦＭ変調された放送信号とＩＢＯＣ  ＤＡＢ信号の各周波数割当てと電力スペクトル密度の関係を概略的に示したものである。ハイブリッド方式は、図１に示すように、アナログ放送搬送波（ＦＭアナログ信号）の上側波帯及び下側波帯にそれぞれＩＢＯＣ  ＤＡＢ信号（デジタル変調波）を付加したアナログ／デジタル混成の方式であり、現状の技術において運用されている方式である。ＦＭアナログ信号の両側波帯に付加されるＩＢＯＣ  ＤＡＢ信号は、例えば、９５個の等間隔の直交周波数分割変調（ＯＦＤＭ）副搬送波からなり、図示のようにＦＭ中心周波数から約１２９ｋＨｚ〜１９８ｋＨｚ離れたスペクトルを占有する。また、各側波帯におけるＯＦＤＭ副搬送波の全ＤＡＢ出力は、典型的には、ＦＭアナログ出力に対して約−２５ｄＢに設定されている。
【０００５】
典型的なＨＤラジオ（ＩＢＯＣ放送受信機）は、その基本的な機能として、デジタル受信が可能なエリア内ではデジタルで受信した信号を出力し、デジタル受信ができないエリアでは音切れなどの防止のために自動的にアナログで受信した信号を出力する。具体的には、先ず放送局の検索時（シーク時）にアナログ放送波を受信できる周波数に同調し、最初はそのアナログ放送波を復調（再生）するが、その一方で当該アナログ放送波にデジタル変調波（サイドバンド）が存在するか否か（つまり、ＩＢＯＣ放送局が存在するか否か）を判定し、デジタル変調波が存在している場合には、そのＩＢＯＣ放送波を復調（再生）し、さらに「ブレンド」と呼ばれる処理により、再生したアナログ放送波から当該ＩＢＯＣ放送波への切替を行ってそのＩＢＯＣ放送波を出力し、一方、デジタル変調波が存在していない場合には、再生したアナログ放送波をそのまま出力する。
【０００６】
上記の従来技術に関連する技術としては、例えば、アイビクイティ社により、ＦＭ  ＩＢＯＣ  ＤＡＢのための変調フォーマット（ハイブリッド方式、オールデジタル方式）及びかかる変調フォーマットを用いた放送方法及びシステムが開示されている（例えば、特許文献１及び特許文献２参照）。
【０００７】
【特許文献１】
特表２００１−５２０４７９号公報
【特許文献２】
特表２００２−５１０８９７号公報
【０００８】
【発明が解決しようとする課題】
上述したように従来技術に係るＩＢＯＣ放送受信機では、アナログ放送とデジタル放送（ＩＢＯＣ放送）の両方の受信に対応することができるが、その反面、以下に記述するような課題があった。
【０００９】
先ず、ＩＢＯＣ方式によるデジタル音声放送（ＤＡＢ）のサービスを提供している放送局（ＩＢＯＣ放送局）と既存のＦＭ／ＡＭ放送のサービスを提供している放送局（アナログ放送局）とでは、デジタル変調波の有無により帯域幅が異なる。すなわち、図１に示したように、ＩＢＯＣ放送局から送られてくる放送波にはアナログ放送搬送波（図示の例では、ＦＭアナログ信号）のサイドバンドにデジタル変調波（ＩＢＯＣ  ＤＡＢ信号）が付加されており、その帯域幅（約４００ｋＨｚ）は相対的に広い「広帯域」となっているのに対し、アナログ放送局から送られてくる放送波にはデジタル変調波（サイドバンド）は付加されていないため、その帯域幅は相対的に狭い「狭帯域」となっている。
【００１０】
これを受信機側から見ると、既存のＦＭ／ＡＭ放送を受信する場合には、上記の「狭帯域」を検知できれば十分であるのに対し、ＩＢＯＣ放送を受信するためには、上記の「広帯域」を検知する必要がある。つまり、既存のＦＭ／ＡＭ放送を受信する場合とＩＢＯＣ放送を受信する場合とでは、検知すべき帯域幅が異なるため、それに応じて受信機のチューナ部に要求される特性（特定的には、帯域通過フィルタによる周波数選択特性）も変える必要がある。
【００１１】
しかしながら、従来のＩＢＯＣ放送受信機では、チューナ部における周波数選択特性は、広帯域を検知できるように固定的に設定されていた。このため、ＩＢＯＣ放送を受信するときは特に問題はないが、既存のＦＭ／ＡＭ信号（アナログ放送波）を受信するときは、本来検知すべき「狭帯域」の他に余分な周波数帯域も取り込むことになるため、この余分な周波数帯域中にフェージング等に起因したノイズ成分が混入していると、アナログ放送局からの受信電波を忠実に再現できないことになり、ひいてはアナログ放送の受信性能が低下するといった問題があった。
【００１２】
また、ＩＢＯＣ放送受信機が固定的な受信装置であれば、かかる装置において発生するフェージングは一般には統計的にほぼ定常的であるため、例えば、高性能のアンテナを取り付けたり、あるいは既存のアンテナの位置を変えることで、フェージングによる影響を効果的に緩和することは可能である。しかしながら、ＩＢＯＣ放送受信機を車載用として使用したときは、フェージングは統計的に定常的でなく、車両の位置や速度などに依存するため、効果的な緩和を行うにはさらに複雑な方法が必要である。その一つの方法として、ダイバーシティ方式が考えられる。これは、受信機に複数のアンテナを設け、そのうち最も受信電界強度の大きいアンテナ（つまり、受信状態の最も良いアンテナ）からの信号を選択出力することで、アナログ放送の受信性能の改善を図ったものである。
【００１３】
しかしながら、このダイバーシティ方式をＩＢＯＣ放送受信機にそのまま適用すると、当該受信機ではデジタル受信の場合には同期をとって復調するという処理が必要となるため、ダイバーシティ切替部においてアンテナ切替のためのスイッチング動作を行うと、ブレンド機能に基づいたデジタル変調波への切替の際にいわゆる「同期外れ」が発生するおそれがある。これは、ＩＢＯＣ放送の受信性能の低下につながる。
【００１４】
このように従来のＩＢＯＣ放送受信機では、アナログ放送の受信時とＩＢＯＣ放送の受信時とでそれぞれ受信性能を良好に維持するのは困難であった。
【００１５】
本発明は、かかる従来技術における課題に鑑み創作されたもので、ＩＢＯＣ放送の受信時とアナログ放送の受信時とでそれぞれ最適な受信を行うことができるＩＢＯＣ放送受信機を提供することを目的とする。
【００１６】
【課題を解決するための手段】
上述した従来技術の課題を解決するため、本発明によれば、ＩＢＯＣ方式の変調フォーマットで伝送されてくる放送波を受信するよう適応されたＩＢＯＣ放送受信機であって、複数のアンテナを有するダイバーシティ受信手段と、広帯域用フィルタ及び狭帯域用フィルタを有し、前記ダイバーシティ受信手段を通して受信された放送波を各フィルタに切替接続して一方のフィルタの出力を選択する放送選択手段と、選択された放送波に含まれる信号を復調する復調手段と、前記ダイバーシティ受信手段、放送選択手段及び復調手段に動作可能に接続された制御手段とを具備し、前記制御手段は、前記復調手段で復調された結果に基づいて、当該放送波信号にＩＢＯＣ放送波が存在しないと判定したときに、前記ダイバーシティ受信手段をイネーブル状態に制御し、かつ、前記放送選択手段に対し前記狭帯域用フィルタの出力を選択するよう制御し、当該放送波信号にＩＢＯＣ放送波が存在すると判定したときに、前記ダイバーシティ受信手段をディスエーブル状態に制御し、かつ、前記放送選択手段に対し前記広帯域用フィルタの出力を選択するよう制御することを特徴とするＩＢＯＣ放送受信機が提供される。
【００１７】
本発明に係るＩＢＯＣ放送受信機の構成によれば、制御手段により、受信した放送波信号にＩＢＯＣ放送波が存在すると判定されたときに、ＩＢＯＣ放送波を受信するのに好適な広帯域用フィルタの出力が選択されると共に、ダイバーシティ受信手段はディスエーブル状態に制御される。つまり、アンテナ切替のためのスイッチング動作が停止された状態となるので、従来技術に見られたようなデジタル変調波への切替の際の「同期外れ」といった不都合を解消することができ、ひいてはＩＢＯＣ放送の受信性能の低下を防止することができる。つまり、ＩＢＯＣ放送の受信時に最適な受信を行うことが可能となる。
【００１８】
また、制御手段により、受信した放送波信号にＩＢＯＣ放送波が存在しないと判定されたときは、ダイバーシティ受信手段はイネーブル状態（すなわち、アナログ放送の受信性能の改善に寄与するアンテナ切替のためのスイッチング動作が可能な状態）に制御されると共に、放送選択手段は狭帯域用フィルタの出力を選択するよう制御される。つまり、ＩＢＯＣ放送波以外のアナログ放送波を受信するのに好適な「狭帯域」が選択されるので、従来技術に見られたような余分な周波数帯域を検知するといった不都合を解消することができ、ひいてはアナログ放送の受信性能の低下を防止することができる。つまり、アナログ放送の受信時にも最適な受信を行うことが可能となる。
【００１９】
【発明の実施の形態】
図２は本発明の一実施形態に係るＩＢＯＣ放送受信機の構成を概略的に示したものである。
【００２０】
本実施形態に係るＩＢＯＣ放送受信機１０は、車載用として使用され、既存のＦＭ／ＡＭ放送のサービスを提供しているアナログ放送局から送られてくる放送波を受信すると共に、ＩＢＯＣ方式によるデジタル音声放送（ＤＡＢ）のサービスを提供しているＩＢＯＣ放送局からハイブリッド方式（図１参照）の変調フォーマットで送られてくる放送波を受信するように適応されている。このＩＢＯＣ放送受信機１０において、１１はマイクロコンピュータ（マイコン）等により構成された制御部を示し、後述するように、本受信機１０が行うアナログ受信信号出力とデジタル受信信号出力の切替に係る処理を制御する機能を有している。
【００２１】
また、１２はアナログ放送の受信性能の改善を図るために設けられたダイバーシティ切替部を示し、このダイバーシティ切替部１２には、空間的に離して適宜配置された複数のアンテナ（図示の例では、２個のアンテナ１２ａ，１２ｂ）が結合されている。このダイバーシティ切替部１２は、制御部１１との間で行う通信により、イネーブル状態又はディスエーブル状態とされる。ここに、「イネーブル状態」とは、ダイバーシティ切替部１２によるアンテナ切替のためのスイッチング動作が可能な状態を指し、「ディスエーブル状態」とは、そのスイッチング動作を停止させ、いずれかのアンテナ（１２ａ又は１２ｂ）の出力が固定的に選択された状態を指す。
【００２２】
また、１３はチューナ部（ＲＦフロントエンド）を示し、基本的には、ダイバーシティ切替部１２を通して受信された放送波（アナログ放送波、ＩＢＯＣ放送波）に対して周波数の同調を行うものである。この周波数同調に関係する機能ブロックについては、本発明の要旨とは直接関係がないのでその図示は省略している。このチューナ部１３は、本発明に関係する機能ブロックとして、ＩＢＯＣ放送波を受信するのに適応された帯域幅（図１の例示では約４００ｋＨｚ）をもつ広帯域用フィルタ１３ａと、既存のアナログ放送波を受信するのに適応された帯域幅（図１の例示では約２６０ｋＨｚ）をもつ狭帯域用フィルタ１３ｂの２種類のフィルタを有している。さらに、ダイバーシティ切替部１２を通して受信された放送波を各フィルタ１３ａ，１３ｂに切替接続するためのスイッチ１３ｃが設けられている。チューナ部１３は、制御部１１との間で行う通信により、スイッチ１３ｃを介して各フィルタ１３ａ，１３ｂの切替を行い、いずれか一方のフィルタの出力を選択出力する。
【００２３】
また、１４はチューナ部１３から選択出力された放送波をデジタル化するアナログ／デジタル（Ａ／Ｄ）変換部、１５は制御部１１との間で通信可能に接続されたＦＭ／ＡＭ復調部を示し、チューナ部１３からＡ／Ｄ変換部１４を通して選択出力された放送波に含まれるＦＭ／ＡＭアナログ信号をデジタル的に復調するものである。
【００２４】
また、１６は制御部１１との間で通信可能に接続されたＩＢＯＣデコーダを示し、ＩＢＯＣデジタル音声放送（ＤＡＢ）システムにおいては周知の機能ブロックを有している。図示の例では、ＩＢＯＣデコーダ１６は、チューナ部１３からＡ／Ｄ変換部１４を通して選択出力された放送波にデジタル変調波（すなわち、直交周波数分割変調（ＯＦＤＭ）副搬送波）が含まれている場合にそのＯＦＤＭ副搬送波を復調するＯＦＤＭ復調部１６ａと、送信側（ＩＢＯＣ放送局）において行われたデジタル符号化や音声圧縮などに起因して付加されたフォワードエラー訂正（ＦＥＣ）をデコードするためのＦＥＣデコーダ１６ｂと、オーディオデコーダ１６ｃとを有している。ＯＦＤＭ復調部１６ａは、上記のように選択出力された放送波にＯＦＤＭ副搬送波（デジタル変調波）が含まれている場合にその復調機能を発揮する。その意味で、このＯＦＤＭ復調部１６ａの出力は、デジタル変調波への同期がとれたことを指示している。従って、制御部１１は、ＩＢＯＣデコーダ１６との通信を介してＯＦＤＭ復調部１６ａの処理結果（すなわち、デジタル変調波への同期がとれたか否か）をモニタすることで、選択した放送局がＩＢＯＣ放送のサービスを提供しているか否かを判定することができる。
【００２５】
ＩＢＯＣデコーダ１６（オーディオデコーダ１６ｃ）から出力される信号は、ブレンド制御信号ＢＣとしてブレンド処理部１７に供給され、そのブレンド機能を制御する。このブレンド処理部１７は、基本的には、ブレンド制御信号ＢＣの状態（すなわち、レベル）に基づいて、ＦＭ／ＡＭ復調部１５を通して復調された音声信号（アナログ放送波）から当該ＩＢＯＣ放送波（デジタル変調波）への切替を行って出力する機能を有している。なお、制御部１１は、ＩＢＯＣデコーダ１６との間で行う通信により、ブレンド制御信号ＢＣの状態（レベル）を直接モニタすることも可能である。
【００２６】
また、１８はブレンド処理部１７を通して出力されたデジタル化された音声信号をアナログ音声信号に変換するデジタル／アナログ（Ｄ／Ａ）変換部を示す。このＤ／Ａ変換部１８からのオーディオ出力は、特に図示はしていないが、オーディオアンプを通して増幅された後、スピーカを介してユーザに受聴される。また、１９は制御部１１に接続されたＲＡＭなどのメモリ部を示し、このメモリ部１９には、例えば、受信できる放送局（アナログ放送局、ＩＢＯＣ放送局）の放送周波数に関するデータが格納されている。
【００２７】
以上のように構成された本実施形態に係るＩＢＯＣ放送受信機１０において、制御部１１は「制御手段」に、ダイバーシティ切替部１２（アンテナ１２ａ，１２ｂを含む）は「ダイバーシティ受信手段」に、チューナ部１３は「放送選択手段」に、ＦＭ／ＡＭ復調部１５は「第１の復調手段」に、ＩＢＯＣデコーダ１６は「第２の復調手段」に、ブレンド処理部１７は「音声出力切替手段」にそれぞれ対応している。
【００２８】
以下、本実施形態のＩＢＯＣ放送受信機１０の動作について、図３を参照しながら説明する。
【００２９】
先ず、放送局の検索時（シーク時）に周波数同調した放送波がＩＢＯＣ放送波であるという前提で各機能ブロック１２，１３をデジタル信号受信用の動作モードに設定した状態とする。すなわち、図３（ｂ）に示すように、制御部１１からの制御に基づいてダイバーシティ切替部１２をディスエーブル状態にし、かつ、チューナ部１３に対し広帯域用フィルタ１３ａの出力を選択した状態とする。なお、制御部１１に入力されている「ＩＢＯＣデコーダ１６の動作状態」とは、デジタル変調波への同期状態やブレンド制御信号ＢＣの状態などをいう。
【００３０】
そして所定時間経過後に、制御部１１とＩＢＯＣデコーダ１６の協働作用により、デジタル変調波への同期がとれたか否か（つまり、その周波数同調した放送局がＩＢＯＣ放送局か否か）を判別する。そして、ＩＢＯＣ放送局の場合には、Ａ／Ｄ変換部１４、ＦＭ／ＡＭ復調部１５などを介して当該ＩＢＯＣ放送波を出力する。
【００３１】
一方、ＩＢＯＣ放送局でない場合（つまり、アナログ放送局の場合）には、各機能ブロック１２，１３をアナログ信号受信用の動作モードに設定した状態に切り替える。すなわち、図３（ａ）に示すように、制御部１１からの制御に基づいてダイバーシティ切替部１２をイネーブル状態にし、かつ、チューナ部１３に対し狭帯域用フィルタ１３ｂの出力を選択した状態とする。そして、Ａ／Ｄ変換部１４、ＦＭ／ＡＭ復調部１５などを介して当該アナログ放送波を出力する。
【００３２】
以上説明したように、本実施形態に係るＩＢＯＣ放送受信機１０の構成によれば、制御部１１において、ＩＢＯＣデコーダ１６との通信にとり、受信した放送波信号にＩＢＯＣ放送波が存在すると判定されたときに、ＩＢＯＣ放送波を受信するのに好適な広帯域用フィルタ１３ａの出力が選択され、かつ、ダイバーシティ切替部１２はディスエーブル状態とされる。つまり、アンテナ切替のためのスイッチング動作が停止された状態となるので、従来技術に見られたようなデジタル変調波への切替の際の「同期外れ」といった不都合を解消することができ、ひいてはＩＢＯＣ放送の受信性能の低下を防止することができる。すなわち、ＩＢＯＣ放送の受信時に最適な受信を行うことができる。
【００３３】
また、制御部１１において、ＩＢＯＣデコーダ１６との通信にとり、受信した放送波信号にＩＢＯＣ放送波が存在しないと判定されたときは、ダイバーシティ切替部１２はイネーブル状態（すなわち、アナログ放送の受信性能の改善に寄与するアンテナ切替のためのスイッチング動作が可能な状態）に制御され、かつ、チューナ部１３は狭帯域用フィルタ１３ｂの出力を選択するよう制御される。つまり、ＩＢＯＣ放送波以外のアナログ放送波を受信するのに好適な「狭帯域」が選択されるので、従来技術に見られたような余分な周波数帯域を検知するといった不都合を解消することができる。これによって、アナログ放送の受信性能の低下を防止することができ、アナログ放送の受信時にも最適な受信を行うことが可能となる。
【００３４】
上述した実施形態では、制御部１１からの制御に基づいて各機能ブロックをデジタル信号受信用の動作モードに設定した状態（すなわち、図３（ｂ）に示したようにダイバーシティ切替部１２をディスエーブル状態にし、かつ、チューナ部１３に対し広帯域用フィルタ１３ａの出力を選択した状態）から動作を開始する場合を例にとって説明したが、本発明の要旨から明らかなように、本実施形態のＩＢＯＣ放送受信機１０が行う動作の形態はこれに限定されないことはもちろんである。例えば、これとは逆に、制御部１１からの制御に基づいて各機能ブロックをアナログ信号受信用の動作モードに設定した状態（すなわち、図３（ａ）に示したようにダイバーシティ切替部１２をイネーブル状態にし、かつ、チューナ部１３に対し狭帯域用フィルタ１３ｂの出力を選択した状態）から動作を開始するようにしてもよい。
【００３５】
この場合、先ず放送局の検索時に周波数同調した放送波がアナログ放送波であるという前提で各機能ブロック１２，１３をそれぞれ「イネーブル状態」、「狭帯域選択状態」とするが、所定時間毎に、各機能ブロック１２，１３をそれぞれ「ディスエーブル状態」、「広帯域選択状態」に切り換えて、制御部１１とＩＢＯＣデコーダ１６の協働作用により、デジタル変調波への同期がとれたか否か、すなわち、その周波数同調した放送局がＩＢＯＣ放送局か否かを判別する。そして、ＩＢＯＣ放送局の場合には当該ＩＢＯＣ放送波を出力し、ＩＢＯＣ放送局でない場合（アナログ放送局の場合）には、各機能ブロック１２，１３をそれぞれ「イネーブル状態」、「狭帯域選択状態」に切り替えて、当該アナログ放送波を出力する。
【００３６】
【発明の効果】
以上説明したように、本発明に係るＩＢＯＣ放送受信機によれば、ＩＢＯＣ復調手段の動作状態に応じてチューナ部のフィルタ切替（狭帯域／広帯域）とダイバーシティ受信手段のイネーブル／ディスエーブルとを連動させることにより、ＩＢＯＣ放送の受信時とアナログ放送の受信時とでそれぞれ最適な受信を行うことが可能となる。
【図面の簡単な説明】
【図１】ＩＢＯＣデジタル音声放送（ＤＡＢ）システムにおいて採用されている放送波伝送方式（ハイブリッド方式）の説明図である。
【図２】本発明の一実施形態に係るＩＢＯＣ放送受信機の構成を概略的に示すブロック図である。
【図３】図２のＩＢＯＣ放送受信機の動作を説明するための図である。
【符号の説明】
１０…ＩＢＯＣ放送受信機、
１１…制御部（制御手段）、
１２…ダイバーシティ切替部（ダイバーシティ受信手段）、
１２ａ，１２ｂ…アンテナ、
１３…チューナ部（放送選択手段）、
１３ａ…広帯域用フィルタ、
１３ｂ…狭帯域用フィルタ、
１３ｃ…（フィルタ切替用）スイッチ、
１５…ＦＭ／ＡＭ復調部（第１の復調手段）、
１６…ＩＢＯＣデコーダ（第２の復調手段）、
１６ａ…ＯＦＤＭ復調部、
１６ｃ…オーディオデコーダ、
１７…ブレンド処理部（音声出力切替手段）、
ＢＣ…ブレンド制御信号。
【図１】
2004349805.tif 000003
【図２】
2004349805.tif 000004
【図３】
2004349805.tif 000005